(57)【要約】      （修正有）【課題】装身具・装飾品の上に留められた一群のカット宝石等の装飾体を花が蕾から開花して拡がるように形状を変化させ、周囲の注目を集めながら自らもデザインの変化を楽しんで使用することができ、作業時・移動時には閉じた状態として損傷を防ぐことができる装身具・装飾品を提供する。【解決手段】回転ノブ７と一体となって回転するセンターギア４の周りに花弁型のカット宝石等の装飾体３をセットした複数ギア群６を同心円状に配し、ノブ操作で簡単に装飾体３の位置を変化させ、ひいては装身具・装飾品全体のデザインを段階的に変化させることを可能とした。この際花弁型のカット宝石等の装飾体３を同心円状に配置した各周辺ギア６の偏芯位置にセットすることにより、窄まるときは小さく、開くときは大きく拡がり、小さい蕾が大きく華やかに開花する形状的特徴を与えると同時に作業時・移動時には蕾んだ状態にして損傷を防ぐことを可能な形態とした。【選択図】図１
2011194195.tif 000002
【特許請求の範囲】
【請求項１】
装身具・装飾品筐体と筐体の上の同心円状位置に回転可能に取り付けられた複数の花びらの形状をした部品群（３）と、その中心部にあってこれらの部品群を同時に回転させるノブ付駆動部品（４、７）を備え、ノブ操作により駆動部品の回転運動を複数の花びら形状の部品（２、３）に伝えて回転させて、全体の形状を蕾みの状態から開花した状態に段階的に変化させることを特徴とする装身具・装飾品。
【請求項２】
全体の形状が蕾みのとき花びらの形状をした部品群の下に隠れ、形状が開花して拡がるに連れて中心部から上にせり出して現れてくるようなツリー形状（めしべ、おしべ形状）の装飾部品（１３）とそれを上下させる螺旋溝を有した部品（９）を備えることを特徴とする請求項１記載の装身具・装飾品。
【請求項３】
花びらの形状をした部品群の回転をデザイン的に美しい位置で段階的にフリーズするようにストッパーの役割を成すカム（１５）を設けることを特徴とする請求項１又は請求項２記載の装身具・装飾品。
【請求項４】
花びらの形状をした部品群の駆動部を時計のムーブメントにつないで回転駆動し、時の経過の応じて形状を変化させることを特徴とする請求項１又は請求項２記載の装身具・装飾品。
【請求項５】
花びらの形状をした部品群の駆動部をソーラーパネルで駆動される装置につないで回転駆動し、周囲の明るさに応じて形状を変化させることを特徴とする請求項１又は請求項２記載の装身具・装飾品。
【発明の詳細な説明】
【技術分野】
【０００１】本発明は、デザイン変化可能な装身具・装飾品に関するものである。
【背景技術】
【０００２】従来の装身具・装飾品は装飾をほどこした貴金属或いは貴金属と台座に固定して留められた宝石との組み合わせからなっていた。このため、デザインは固定的となり、飽きを感じたり、ＴＰＯに応じて形状の異なるものを使用しようとすれば、複数個の装身具・装飾品を用意しておかなければならないという欠点があった。
【発明の概要】
【発明が解決しようとする課題】
【０００３】本発明は以上のような従来の欠点を鑑み、台座に留められた宝石群を回転可能な構造として、形状を花が拡がるように変化させ異なるデザインにして、周囲の注目を集めながらも楽しく使用することができ、かつ蕾めた状態にすれば宝石の損傷を効率よく阻止することができる装身具・装飾品を提供することを目的としている。
【課題を解決するための手段】
【０００４】本発明の装身具・装飾品の回転部・移動部は、
（１）センターギア（４）と同心円上に配置した複数のギア群（６）から構成し、センターギア（４）は回転ノブ７と一体構造に、同心円上に配置されたギア群（６）はそれぞれのカット宝石（３）の台座（２）と一体構造にすることにより回転ノブ（７）を回すとその回転は台座２に伝達され、カット宝石３は装身具・装飾品（１）全体の形状を花の蕾が開花するように変化させながら移動を始める。【０００５】（２）一方、中心部に回転ノブ（７）と一体となって回転する螺旋溝を備えた円柱状のパイプ（１０）を配し、その内部に螺旋溝にはまる２つの突起１３ｃを設けた円柱：ツリー幹（１３ａ）に冠としてセンターストーン（１１）を、ツリー幹（１３ａ）上部から伸びるツリー枝（１３ｂ）にメレダイヤ（１２）を配することにより、回転ノブ７の操作による（Ａ）部の装飾体の移動と並行して中心部からツリー状（めしべ、おしべ形状）に配置されたセンターストーン（１１）、メレダイヤ（１２）が湧き上がるように上昇する。【０００６】形状変化の視覚的効果を増大させる為に、上下非対象の花弁型のカット宝石３を用い、その台座（２）を同心円上に配置した複数ギア（６）上の偏芯位置に配置することにより、窄まるときは小さく、拡がるときは大きく拡がり、小さい蕾が大きく華やかに開花する形状的特徴を与えると同時に作業時・移時には（１）は蕾んだ状態、（２）は下降した状態として損傷を防ぐことを可能とする。
【発明の効果】
【０００７】一般的に指輪、ブローチ、ペンダント、装飾時計等の装身具は一点一点デザインが固定されているという常識の中で、形状を段階的に変化させることができる装身具を提供することにより以下（１）から（７）に挙げる効果が得られる。【０００８】（１）  一つの装身具でありながらＴＰＯに応じて、慎ましやかな席では閉じた状態（図１０−（ａ）或いは図１２−（ａ））で、パーティーなど華やかな席では開いた状態（図１０−（ｃ）或いは図１２−（ｆ））で身に着ける等の使い分けが可能である。【０００９】（２）  一つのデザインでは飽きがくるため、気分に応じてデザインを変えて（図１０−（ａ）〜（ｃ）或いは図１２−（ａ）〜（ｆ））使用して楽しむことが可能となる。【００１０】（３）  （１）（２）に関連して、一般ではデザインの異なる装身具を複数個用意しておく必要があるのに対し経済的効果がある。【００１１】（４）  作業時、パーティーからの帰宅時などは、閉じた状態（図１０−（ａ）或いは図１２−（ａ））として身につけ損傷或いは盗難を防ぐことが可能である。【００１２】（５）  回転部にカット宝石をセットした場合、宝石の内部から反射する光の美しさ−シンチレーシヨン−を色々な角度（図１０−（ａ）〜（ｃ）或いは図１２−（ａ）〜（ｆ））から鑑賞できる。【００１３】（６）  多くの場合、装身具が他者への自己アピールであるとするならば、形状が変化する装身具は例が少ないので第三者の興味を引き楽しませるばかりでなく、自らも楽しむことが可能である。【００１４】（７）  装身具をプレゼントとして使用した場合、当該機能は贈られた人にサプライズと喜びを与え、よりプレゼントの効果を高めることが可能である。【００１５】装飾品についても上記装身具で述べた（１）から（７）の発明の効果のうち（２）、（３）、（５）、（７）と共通する効果を得ることができる。
【図面の簡単な説明】
【００１６】
【図１】本発明の基本的な形態で（ａ）花が閉じた状態（ｂ）花が開き始めた状態（ｃ）花が完全に開花した状態でのデザインの変化を示す。
【図２】花が閉じた形状での（ａ）上面図、（ｂ）側面図（ｃ）背面図を示す。※
【図３】花が開き始めた形状での（ａ）上面図、（ｂ）側面図（ｃ）背面図を示す。※
【図４】花が開いた形状での（ａ）上面図、（ｂ）側面図（ｃ）背面図を示す。※（ａ）上面図では花弁状カット宝石（３）の位置、（ｂ）側面図では中央おしべ・めしべ形状の装飾体（１３）の上昇の様子（ｃ）背面図では回転ノブ（７）とカム（１５）の状況を示す。
【図５】装飾体中央部からせり出すツリー状装飾体（１３）の構造を示す。
【図６】ツリー状装飾体（１３）を押し上げる螺旋状部品（１０）の構造を示す。
【図７】ツリー状装飾体（８）の回転を防止する部品の構造を示す。
【図８】４つのハートブリリアンカットでのデザインの変化を示す。
【図９】４つのハートブリリアンカットでの筐体内部のギアの配置と構造を示す。
【図１０】４つのハートブリリアンカットでの指輪の実施例。
【図１１】５つのペアシェイプカット石での時計ブレスレットの実施例。
【図１２】５つのペアシェイプカット石でのブローチの実施例。
【図１３】５つのペアシェイプカット石でペンダントトップ式時計の実施例。
【図１４】手動ではなく時計のムーブメントにて花びら形状のカット宝石を駆動する実施例
【図１５】手動ではなくソーラーパネルから生じた電源にて花びら形状のカット宝石を駆動する実施例。
【発明を実施するための形態】
【００１７】  本発明の花びらが窄まるときは小さくさり窄まり、拡がるときは大きく拡がるという一つ目の特徴を充分に生かす為の形態は以下の２つのポイントにある。
【００１８】  （１）回転運動するカット宝石（３）に上下非対称で上部がボリュームのあるカット宝石等を採用する。
（２）宝石の中心を回転の中心よりずらした偏芯位置（６）にセットする。
【００１９】  図１２の（ａ）で小さく窄まった５つの花弁状カット宝石（３）はセンターを偏芯位置にセットした効果が生かされて、回転につれて隣のカット宝石（３）に接触することなく徐々に全体の形態を変化させながら（ｆ）では完全に拡がりきって華やかで美しい形態へと変貌を遂げている。
【００２０】  本発明の２つ目の特徴は、一つの装身具・装飾体でいくつものデザイン性を楽しめることであるが、図１２（ａ）⇒図１２（ｆ）への回転移動の流れで形態の変化を辿ってゆくと、どのポジションでアクセサリーとして身に着けても大変美しく、デザイン性が高いことが伺える。この形態の美しさは複数のカット宝石が常に回転対象の位置にあることに起因している。
【００２１】  本発明に花を添える３の目の特徴としては、花弁形状のカット宝石（３）が花びらが開くように回転するにつれて、中心部から花でいえばおしべ・めしべ（センターにメインのダイヤモンド（１１）を冠として、周囲にはメレダイヤ（１２）で飾る）をかたどった装飾体を上昇させることで、身に着けている人だけでなく、周囲の人にもサプライズを与え、感動的は演出効果が期待できる。
【００２２】  次に本発明の機構をよく理解するために、図２〜図４に装飾体の形状変化と駆動部の動きの関連を示した各図：上面図、側面図、背面図を用意している。
図２は花弁状の装飾体（３）が閉じた状態で（ａ）が上面図、（ｂ）が側面図、（ｃ）が背面図となっている。
図３は花弁状の装飾体（３）が開き始めた状態で（ａ）が上面図、（ｂ）が側面図、（ｃ）が背面図となっている。
図４は花弁状の装飾体（３）が完全に開いた状態で（ａ）が上面図、（ｂ）が側面図、（ｃ）が背面図となっている。
（ａ）の上面図では花弁状カット宝石（３）の位置が図面を追うごとに徐々に広がってゆく様子、（ｂ）の側面図では中央おしべ・めしべ形の装飾体（１３）が図面を追うごとに徐々に上昇してゆく様子、（ｃ）の背面図では回転ノブ（７）が約１１０度回転している様子とカム（１５）の状況が示されている。
【００２３】  構造としては、回転ノブ７と一体となって回転するセンターギア（４）の周りに花弁型のカット宝石等の装飾体（３）をセットした複数ギア群（５）を同心円状に配することにより、ノブ操作で簡単にカット宝石（３）の位置を変化させている。
【００２４】  又、中心部に回転ノブ７と一体となって回転する螺旋溝を備えた円柱状のパイプ（１０）を配し、その内部に螺旋溝にはまる２つの突起（１３ｃ）を設けた円柱：ツリー幹（１３ａ）に冠としてセンターストーン（１１）を、ツリー幹（１３ａ）上部から枝状に伸びるツリー枝（１３ｂ）にメレダイヤ（１２）を配し、回転ノブ（７）の操作により上昇・下降する構造とした。このままではツリー（１３）が回転ノブと一緒に回転してしまうので、回転防止策として上部（８）を筐体に固定した回転止めスリット付円柱パイプ（８）をセンターギア（４）と螺旋溝付円柱状のパイプ（１０）の間に挿入している。
【００２５】  一般に回転ノブを手動で回してデザインを変化させて、好みの位置で留めて使用する方法がとられるため、装飾体の裏側にストッパーカム（１５）とそれを押すばね１７とストッパーキー（１６）をつけて、花弁状の宝石が回転してゆく過程で、最も美しい位置で軽くストップがかかるような機構を追加した。
【００２６】  回転ノブ（７）が可動となるの２つの回転ノブ用ストッパー（７ａ）間の回転角度は、センターギア４と周辺ギア５のピッチ円直径とギア比により設定が必要だが、花弁状装飾体（３）を偏芯位置で回転させていることにより花弁状装飾体（３）自体の回転角度は１８０度より約１０％程度アップするため（１９８度）、センターギアの回転角度は５つのペアシェイプカット石（３）を用いた実施例では、センターギアが２５枚、周辺ギアが１４枚の歯数を採用した為、（３６０度／２５枚）×（１４枚×１９８度／３６０度）＝１１０．９度という計算式となった。
【００２７】  図１２では５つのペアーシェイプカット宝石での例を説明したが、４つのハートシェイプブリリアンカット宝石を用いた形態の変化例を図８の（ａ）〜（ｅ）で示している。これはその他の花弁状形態の装飾体でも、デザインの変化が楽しめ、異なった趣の演出効果が得られることを示している。
【実施例１】
【００２８】図１０の（ａ）〜（ｃ）に４つのハートシェイプブリリアンカット宝石を用いた指輪の実施例を示す。
【実施例２】
【００２９】図１１にセンターに時計をあしらったブレスレットの実施例を示す。
【実施例３】
【００３０】図１２（ａ）〜（ｆ）に５つのペアーシェイプカット宝石を用いたブローチの実施例を示す。
【実施例４】
【００３１】図１３（ａ）〜（ｆ）に５つのペアーシェイプカット宝石を用い、花弁が開くにつれて中央に時計が現れるペンダントトップの実施例を示す。
【実施例５】
【００３２】図１４（ａ）〜（ｃ）は５つのペアーシェイプカット宝石を用いたブローチで、手動ではなく時計のムーブメントにて花びら形状のカット宝石を駆動する実施例を示す。これは装身具が単なる飾りの要素だけでなく、美しいフォルムで時の経過を知らせる時計の役割をも持たせようという新しい試みである。
【実施例６】
【００３３】図１５（ａ）〜（ｃ）は５つのペアーシェイプカット宝石を用いたブローチで、手動ではなくソーラーパネルから生じた電源にて花びら形状のカット宝石を駆動する実施例を示す。光を浴びて花が開くように、外部環境に応じて形状を変える装身具は新しい試みで、今後の宝飾業界に新しい需要と風を吹き込む要素である。
【符号の説明】
【００３４】１    装身具・装飾品
１ａ  筐体
１ｂ  上蓋
１ｃ  ベース
２    宝石台座
２ａ  宝石固定爪
３    カット宝石
４    センターギア
４ａ  センターギア歯先円
４ｂ  センターギア受け穴
５    周辺ギア
５ａ  周辺ギア歯先円
５ｂ  周辺ギア受け穴
５ｃ  周辺ギアセンター
５ｄ  周辺ギア偏芯位置
６    偏芯距離
７    回転ノブ
７ａ  回転ノブ用ストッパー
７ｂ  回転ノブ用受け
８    回転止めスリット付円柱パイプ
９    螺旋溝付円柱パイプ
１０  螺旋溝付円柱パイプ受け穴
１１  センターストーン
１２  メレダイヤ
１３  ツリー
１４  ツリー石止め
１５  ストッパーカム
１６  ストッパーキー
１７  ばね
１８  ばねケース
１９  リング
２０  ブローチ留め金具
２１  時計
２２  ブレスレット式バンド
２３  外部への駆動ギア１
２４  外部への駆動ギア２
２５  時計に用いる駆動装置ボックス
２６  駆動装置ボックスと筐体の固定用ステー
２７  ソーラーパネル
２８  ソーラーパネルから駆動部へのコネクター
２９  ソーラーパネルに用いる駆動装置ボックス
【図１】
2011194195.tif 000003
2011194195.tif 000004
【図２】
2011194195.tif 000005
2011194195.tif 000006
【図３】
2011194195.tif 000007
2011194195.tif 000008
【図４】
2011194195.tif 000009
2011194195.tif 000010
【図５】
2011194195.tif 000011
【図６】
2011194195.tif 000012
【図７】
2011194195.tif 000013
【図８】
2011194195.tif 000014
2011194195.tif 000015
2011194195.tif 000016
【図９】
2011194195.tif 000017
【図１０】
2011194195.tif 000018
2011194195.tif 000019
【図１１】
2011194195.tif 000020
【図１２】
2011194195.tif 000021
2011194195.tif 000022
2011194195.tif 000023
【図１３】
2011194195.tif 000024
2011194195.tif 000025
2011194195.tif 000026
【図１４】
2011194195.tif 000027
2011194195.tif 000028
【図１５】
2011194195.tif 000029
2011194195.tif 000030
【手続補正書】
【提出日】平成22年6月15日(2010.6.15)
【手続補正１】
【補正対象書類名】図面
【補正対象項目名】全図
【補正方法】変更
【補正の内容】
【図１】
2011194195.tif 000031
【図２】
2011194195.tif 000032
【図３】
2011194195.tif 000033
【図４】
2011194195.tif 000034
【図５】
2011194195.tif 000035
【図６】
2011194195.tif 000036
【図７】
2011194195.tif 000037
【図８】
2011194195.tif 000038
【図９】
2011194195.tif 000039
【図１０】
2011194195.tif 000040
【図１１】
2011194195.tif 000041
【図１２】
2011194195.tif 000042
【図１３】
2011194195.tif 000043
【図１４】
2011194195.tif 000044
【図１５】
2011194195.tif 000045
【手続補正２】
【補正対象書類名】明細書
【補正対象項目名】００１６
【補正方法】変更
【補正の内容】
【００１６】
【図１】本発明の基本的な形態で(a)花が閉じた状態(b)花が開き始めた状態(c)花が完全に開花した状態でのデザインの変化を示す。
【図２】花が閉じた形状で の(a)上面図、(b)側面図、(c)背面図を示す。※
【図３】花が開き始めた形状での(a)上面図、(b)側面図、(c)背面図を示す。※
【図４】花が開いた形状での(a)上面図、(b)側面図、(c)背面図を示す。※(a)上面図では花弁状カット宝石(３)の位置、(b)側面図では中央おしべ・めしべ形状のツリー状装飾体(１３)の上昇の様子、(c)背面図では回転ノブ(７)とカム(１５)の状況を示す。
【図５】装身具・装飾品(１)の中央部からせり出すツリー状装飾体(１３)の構造を示す。
【図６】ツリー状装飾体(１３)を押し上げる螺旋溝付円柱パイプ(９)の構造を示す。
【図７】ツリー状装飾体(１３)の回転を防止する回転止めスリット付円柱パイプ(８)の構造を示す。
【図８】４つのハートブリリアンカット宝石でのデザインの変化を示す。
【図９】４つのハートブリリアンカット宝石での筐体内部のギアの配置と構造を示す。
【図１０】４つのハートブリリアンカット宝石での指輪の実施例。
【図１１】５つのペアシェイプカット宝石を採用した時計の実施例。
【図１２】５つのペアシェイプカット宝石でのブローチの実施例。
【図１３】５つのペアシェイプカット宝石でのペンダントトップ式時計の実施例。
【図１４】手動ではなく時計のムーブメントにて花びら形状のカット宝石を駆動する実施例。
【図１５】手動ではなくソーラーパネルから生じた電源にて花びら形状のカット宝石を駆動する実施例。
【手続補正書】
【提出日】平成22年6月17日(2010.6.17)
【手続補正１】
【補正対象書類名】明細書
【補正対象項目名】０００４
【補正方法】変更
【補正の内容】
【０００４】
本発明の装身具・装飾品において
（１）回転・移動部は、センターギア(４)と同心円上に配置した複数の周辺ギア群(５)から構成され、センターギア(４)は回転ノブ(７)と一体構造に、同心円上に配置された周辺ギア群(５)はそれぞれの装飾体（カット宝石）(３)の台座(２)と一体構造にすることにより回転ノブ(７)を回すとその回転は台座(２)に伝達され、装飾体（カット宝石）(３)は装身具・装飾品(１)全体の形状を花の蕾が開花するように変化させながら移動を始める。
【手続補正２】
【補正対象書類名】明細書
【補正対象項目名】０００５
【補正方法】変更
【補正の内容】
【０００５】
（２）一方、中心部に回転ノブ(７)と一体となって回転する螺旋溝を備えた円柱状のパイプ(９)を配し、その内部に螺旋溝にはまる２つの突起(１３c)を設けた円柱：ツリー幹(１３a)に冠としてセンターストーン(１１)を、ツリー幹(１３a)上部から伸びるツリー枝(１３b)にメレダイヤ(１２)を配することにより、回転ノブ(７)の操作による上記（１）記載の装飾体（カット宝石）(３)の移動と並行して中心部からツリー状装飾体（１３）（  めしべ、おしべ形状に配置されたセンターストーン(１１)、メレダイヤ(１２)  ）が湧き上がるように上昇する。
【手続補正３】
【補正対象書類名】明細書
【補正対象項目名】０００６
【補正方法】変更
【補正の内容】
【０００６】
形状変化の視覚的効果を増大させる為に、上下非対象の花弁型の装飾体（カット宝石）(３)を用い、その台座(２)を同心円上に配置した複数の周辺ギア(５)上の偏芯位置に配置することにより、窄むときは小さく窄み、拡がるときは大きく拡がり、小さい蕾が大きく華やかに開花する形状的特徴を与えると同時に作業時・移動時には
上記記載（１）部は窄んだ状態
上記記載（２）部は下降した状態
として損傷を防ぐことを可能とする。
【手続補正４】
【補正対象書類名】明細書
【補正対象項目名】００１８
【補正方法】変更
【補正の内容】
【００１８】
（１）回転運動する装飾体(３)に上下非対称で上部がボリュームのあるカット宝石等を採用する。
（２）装飾体（カット宝石）(３)の中心を回転の中心より適当な偏芯距離(６)を持たせてセットする。
【手続補正５】
【補正対象書類名】明細書
【補正対象項目名】００２１
【補正方法】変更
【補正の内容】
【００２１】
本発明に花を添える３の目の特徴としては、花弁形状の装飾体（カット宝石）(３)が花びらが開くように回転するにつれて、中心部から花でいえばおしべ・めしべ（中央にセンターストーン(１１)を冠として、周囲にはメレダイヤ(１２)で飾る）をかたどったツリー状装飾体(１３)を上昇させることで、身に着けている人だけでなく、周囲の人にもサプライズを与え、感動的は演出効果が期待できる。
【手続補正６】
【補正対象書類名】明細書
【補正対象項目名】００３４
【補正方法】変更
【補正の内容】
【００３４】
１    装身具・装飾品
１a   筐体
１b   上蓋 
１c   ベース
２    宝石台座
２a   宝石固定爪
３    装飾体（カット宝石）
４    センターギア
４a   センターギア歯先円
４b   センターギア受け穴
５    周辺ギア
５a   周辺ギア歯先円
５b   周辺ギア受け穴
５c   周辺ギアセンター
５d   周辺ギア偏芯位置
６    偏芯距離
７    回転ノブ
７a   回転ノブ用ストッパー
７b   回転ノブ用受け
８    回転止めスリット付円柱パイプ
８a   回転止めスリット
９    螺旋溝付円柱パイプ
１０  螺旋溝付円柱パイプ受け穴
１１  センターストーン
１２  メレダイヤ
１３  ツリー状装飾体
１３a ツリー幹
１３b ツリー枝
１３c ツリー突起
１４  ツリー石台座
１５  ストッパーカム
１６  ストッパーキー
１７  ばね
１８  ばねケース
１９  リング
２０  ブローチ留め金具
２１  時計
２２  ブレスレット式バンド
２３  外部への駆動ギア１
２４  外部への駆動ギア２
２５  時計に用いる駆動装置ボックス
２６  駆動装置ボックスと筐体の固定用ステー
２７  ソーラーパネル
２８  ソーラーパネルから駆動部へのコネクター
２９  ソーラーパネルに用いる駆動装置ボックス